(57)【要約】【課題】  ユーザにとって使いやすい通信装置を提供する。【解決手段】  第１筐体１００の第１表示部１１０が縦向きで表示されている状態で第１表示部１１０が操作されると、第１表示部１１０にテレビ画像を表示すると共に、第１表示部１１０を縦向き表示から横向き表示に変える。又、第２表示部１１０も縦向き表示から横向き表示に変える。【選択図】  図１
2008109688.tif 000002
【特許請求の範囲】
【請求項１】
タッチパネル式の表示部と、当該表示部が縦向で表示されている状態で前記表示部が触れられたと判定すると、前記表示部の表示を縦向画面から横向画面に変更するように制御する制御手段と、を有することを特徴とする通信装置。
【請求項２】
タッチパネル式の表示部と、テレビ受信部と、前記表示部が縦向で表示されている状態で前記表示部が触れられたと判定すると、前記テレビ受信部で受信したテレビ画像を前記表示部へ表示させると共に、前記表示部の表示を縦向画面から横向画面に変更するように制御する制御手段と、を有することを特徴とする通信装置。
【請求項３】
タッチパネル式の表示部を有する第１筐体と、操作部を有する第２筐体とが、ヒンジ部を介して開閉可能な通信装置であり、
前記表示部が縦向で表示されている状態で、前記表示部が触れられたと判定すると、前記表示部の表示を縦向画面から横向画面に変更するように制御する制御手段と、を有することを特徴とする通信装置。
【請求項４】
タッチパネル式の表示部を有する第１筐体と、操作部を有する第２筐体とが、ヒンジ部を介して開閉可能であり且つテレビ受信部を有する通信装置であり、
前記表示部が縦向で表示されている状態で、前記表示部が触れられたと判定すると、前記テレビ受信部で受信したテレビ画像を前記表示部に表示するよう制御すると共に、前記表示部の表示を縦向画面から横向画面に変更するように制御する制御手段、を有することを特徴とする通信装置。
【請求項５】
タッチパネル式の操作モード又は情報を表示する表示モードに切り替え可能な第１表示部を有する第１筐体と、タッチパネル式の操作モード又は情報を表示する表示モードに切り替え可能な第２表示部を有する第２筐体と、制御手段と、ヒンジ部とを有し、前記第１筐体と前記第２筐体とは前記ヒンジ部を介して回動可能な通信装置であり、
前記第１表示部は、前記表示モードに切り換えられている状態でもユーザの操作を検出可能であり、
前記制御手段は、前記第２表示部が操作されたと判定すると、前記第２表示部を操作モードに切り換えると共に前記第１表示部を表示モードに切り替え、前記第１表示部が前記表示モードで縦長に表示されていると共に、前記第２表示部が前記操作モードである状態で、前記第１表示部がユーザの操作を検出したと判定すると、前記第１表示部を縦長表示から横長表示に切換表示するよう制御することを特徴とする通信装置。
【請求項６】
タッチパネル式の操作モード又は情報を表示する表示モードに切り替え可能な第１表示部を有する第１筐体と、タッチパネル式の操作モード又は情報を表示する表示モードに切り替え可能な第２表示部を有する第２筐体と、制御手段と、ヒンジ部とを有し、前記第１筐体と前記第２筐体とは前記ヒンジ部を介して回動可能な通信装置であり、
前記第１表示部は、前記表示モードに切り換えられている状態でもユーザの操作を検出可能であり、
前記制御手段は、前記第２表示部が操作されたと判定すると、前記第２表示部を操作モードに切り換えると共に前記第１表示部を表示モードに切り替え、前記第１表示部が前記表示モードで縦長に表示されていると共に、前記第２表示部が前記操作モードである状態で、前記第１表示部がユーザの操作を検出したと判定すると、前記第１表示部にテレビ画像を表示させると共に縦長表示から横長表示に切換表示するよう制御することを特徴とする通信装置。
【請求項７】
請求項５又は６に記載の通信装置であり、
前記第１表示部を縦長表示から横長表示に切換表示する際に、前記第２表示部も縦長表示から横長表示に切換表示することを特徴とする通信装置。
【発明の詳細な説明】
【技術分野】
【０００１】
本発明は、タッチパネル式の操作部を有する通信装置に関する。
【背景技術】
【０００２】
近年の通信装置（例えば、携帯電話装置）には数多くの機能が搭載されており、ＣＣＤ（Ｃｈａｒｇｅ  Ｃｏｕｐｌｅｄ  Ｄｅｖｉｃｅ）といった撮像素子を搭載したものまで商品化されている。
【０００３】
又、タッチパネルを搭載した通信装置に関する技術も数多く提案されており、例えば特許文献１には、２つの筐体夫々にタッチパネルを搭載し、通信装置の向きを検出するセンサーの検出に応じて、夫々のタッチパネルを表示部又は操作部に切り換えることが可能な折り畳み式通信装置が記載されている。
【特許文献１】特開平１０−１３２８８号公報（第３〜５ページ、図３参照）。
【発明の開示】
【発明が解決しようとする課題】
【０００４】
通常の折り畳み式通信装置では、一方の筐体に表示部を、片方の筐体にキー操作部を配置している。この為、ユーザは、筐体を開いた際に必ず表示部が上に位置すると共にキー操作部が下に位置するように開かなければならず、非常に面倒であった。
【０００５】
このような問題を解決する為には、センサーの筐体の向き検出に応じて２つのタッチパネルを表示部又は操作部に切り換えるという特許文献１に記載の技術を用いることが考えられるが、向きセンサーを設けることはコスト高となり、現実的ではない。
又、如何にタッチパネルと言えども、所望の機能を実行させるには複数のタッチ操作が必要であり、可能であれば、ユーザがタッチパネルに少ない回数（例えば１回）タッチするだけで、所望の操作を最良の形態で実施可能であることが好ましい。
【課題を解決するための手段】
【０００６】
本発明はこのような課題を解決する為のものであり、請求項１に記載の通信装置は、タッチパネル式の表示部と、当該表示部が縦向で表示されている状態で前記表示部が触れられたと判定すると、前記表示部の表示を縦向画面から横向画面に変更するように制御する制御手段と、を有することを特徴とする。
請求項２に記載の通信装置は、タッチパネル式の表示部と、テレビ受信部と、前記表示部が縦向で表示されている状態で前記表示部が触れられたと判定すると、前記テレビ受信部で受信したテレビ画像を前記表示部へ表示させると共に、前記表示部の表示を縦向画面から横向画面に変更するように制御する制御手段と、を有することを特徴とする。
請求項３に記載の通信装置は、タッチパネル式の表示部を有する第１筐体と、操作部を有する第２筐体とが、ヒンジ部を介して開閉可能な通信装置であり、前記表示部が縦向で表示されている状態で、前記表示部が触れられたと判定すると、前記表示部の表示を縦向画面から横向画面に変更するように制御する制御手段と、を有することを特徴とする。
請求項４に記載の通信装置は、タッチパネル式の表示部を有する第１筐体と、操作部を有する第２筐体とが、ヒンジ部を介して開閉可能であり且つテレビ受信部を有する通信装置であり、前記表示部が縦向で表示されている状態で、前記表示部が触れられたと判定すると、前記テレビ受信部で受信したテレビ画像を前記表示部に表示するよう制御すると共に、前記表示部の表示を縦向画面から横向画面に変更するように制御する制御手段、を有することを特徴とする。
請求項５に記載の通信装置は、タッチパネル式の操作モード又は情報を表示する表示モードに切り替え可能な第１表示部を有する第１筐体と、タッチパネル式の操作モード又は情報を表示する表示モードに切り替え可能な第２表示部を有する第２筐体と、制御手段と、ヒンジ部とを有し、前記第１筐体と前記第２筐体とは前記ヒンジ部を介して回動可能な通信装置であり、前記第１表示部は、前記表示モードに切り換えられている状態でもユーザの操作を検出可能であり、前記制御手段は、前記第２表示部が操作されたと判定すると、前記第２表示部を操作モードに切り換えると共に前記第１表示部を表示モードに切り替え、前記第１表示部が前記表示モードで縦長に表示されていると共に、前記第２表示部が前記操作モードである状態で、前記第１表示部がユーザの操作を検出したと判定すると、前記第１表示部を縦長表示から横長表示に切換表示するよう制御することを特徴とする。
請求項６に記載の通信装置は、タッチパネル式の操作モード又は情報を表示する表示モードに切り替え可能な第１表示部を有する第１筐体と、タッチパネル式の操作モード又は情報を表示する表示モードに切り替え可能な第２表示部を有する第２筐体と、制御手段と、ヒンジ部とを有し、前記第１筐体と前記第２筐体とは前記ヒンジ部を介して回動可能な通信装置であり、前記第１表示部は、前記表示モードに切り換えられている状態でもユーザの操作を検出可能であり、前記制御手段は、前記第２表示部が操作されたと判定すると、前記第２表示部を操作モードに切り換えると共に前記第１表示部を表示モードに切り替え、前記第１表示部が前記表示モードで縦長に表示されていると共に、前記第２表示部が前記操作モードである状態で、前記第１表示部がユーザの操作を検出したと判定すると、前記第１表示部にテレビ画像を表示させると共に縦長表示から横長表示に切換表示するよう制御することを特徴とする。
請求項７に記載の通信装置は、請求項５又は６に記載の通信装置であり、前記第１表示部を縦長表示から横長表示に切換表示する際に、前記第２表示部も縦長表示から横長表示に切換表示することを特徴とする。
【発明の効果】
【０００７】
本発明の通信装置では、ユーザがタッチパネルにタッチするだけで、所望の機能（例えばテレビ表示）を実行できる。
又、テレビ表示を行う際には、通常表示部が縦向表示であったのが、横向表示に変化する為、ユーザが最もテレビ画面を見易い表示形態とすることが可能である。
更に、テレビ画面を横向表示に変化させると共に、操作部の表示も横向表示に変化させるため、ユーザが最もテレビ画面を見易い表示形態とすることが可能なだけでなく、ユーザが最も操作しやすい操作部の表示形態とすることが可能である。
【発明を実施するための最良の形態】
【０００８】
図１は、本実施例装置の斜視図である。図１において本実施例装置は、折り畳み式の携帯電話装置であり、第１筐体１００と第２筐体２００とが、ヒンジ部３００を軸にして、図中矢印方向へ開閉可能とするように連結されている。
【０００９】
前記第１筐体１００は、電話番号や画像等を表示する表示モードか、操作キー表示を行い当該キー表示部分が押圧されたことを出力するタッチパネル式の操作モードに切り替え可能な第１表示部１１０と、アンテナ１２０とを有しており、前記アンテナ１２０は通話やメールの送受信の為に使用される。尚、本実施例装置はテレビジョン画像を表示可能であり、テレビジョン信号を受信する為のアンテナも搭載している（図示せず）。
【００１０】
前記第２筐体２００は、電話番号や画像等を表示する表示モードかタッチパネル式の操作モードに切り替え可能な第２表示部２１０を有している。
【００１１】
尚、前記第１表示部１１０を表示モードとして使用する際には、前記第２表示部２１０を操作モードとして使用し、前記第２表示部２１０を表示モードとして使用する際には、前記第１表示部１１０を操作モードとして使用される。
【００１２】
又、両表示部１１０、２１０はいずれも長方形であり、ヒンジ部３００により長手方向に開閉するように配設されている。また、両表示部は表示モードであっても、押圧されたことを出力することができる。
【００１３】
次に、本実施例装置のブロック構成について説明する。図２は、本実施例装置のブロック図である。
【００１４】
図２において、ＣＤＭＡ通信部１は、後述するベースバンド部３からの信号をアンテナ２を介して基地局へ発信したり、アンテナ２を介して基地局からの電波を受信したりする。
【００１５】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１６】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１７】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１８】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、時刻を計時する機能も備えている。
【００１９】
第２格納部１３は、例えばＳＲＡＭ（Ｓｔａｔｉｃ  Ｒａｎｄｕｍ  Ａｃｃｅｓｓ  Ｍｅｍｏｒｙ）からなり、相手先の電話番号やメールアドレスのデータや、送受信したメールのデータや、受信した画像データ等の各種データを格納する。
【００２０】
第１表示部１１０と第２表示部２１０は、例えばタッチパネルを搭載した液晶表示装置からなり、制御回路１１の制御により、電話番号や画情報等を表示する表示モード、又は、ユーザが操作を行う為のタッチパネル式の操作モード、に切り換えられる。
【００２１】
開閉スイッチ１７は、筐体の開閉を検出する為のスイッチである。尚、このスイッチ１７は、例えば、第１筐体１００に突部を設け、第２筐体２００に凹部を設け、前記凸部が前記凹部の下に配設されたスイッチを押下したことにより、筐体が閉じたことを検出する構成である。
【００２２】
アンテナ１８と接続されたテレビジョン通信部１９は、ＵＨＦ（Ｕｌｔｒａ  Ｈｉｇｈ
Ｆｒｅｑｕｅｎｃｙ）帯のテレビジョン信号や、ＶＨＦ（Ｖｅｒｙ  Ｈｉｇｈ  Ｆｒｅｑｕｅｎｃｙ）帯のテレビジョン信号を受信し復調する。
【００２３】
次に、本実施例装置の動作について、図３に示すフロー図を用いて説明する。
【００２４】
図３のＳ１ステップにおいて、制御回路１１は、開閉スイッチ１７から筐体が開かれたことを示す信号を検出するとＳ２ステップへ処理を進める。
【００２５】
Ｓ２ステップでは、制御回路１１は、第１表示部１１０を表示モードにすると共に第２表示部２１０をタッチパネル式の操作モードにし、Ｓ３ステップへ処理を進める。
【００２６】
Ｓ３ステップでは、制御回路１１は、第１表示部１１０又は第２表示部２１０の操作があると判定するとＳ５ステップへ処理を進め、そうでなければＳ４ステップへ処理を進める。
【００２７】
Ｓ４ステップでは、制御回路１１は、開閉スイッチ１７から筐体が閉じられたことを示す信号を検出するとＳ１ステップへ処理を戻し、そうでなければＳ３ステップへ処理を戻す。
【００２８】
Ｓ５ステップでは、制御回路１１は、前記Ｓ４ステップでの操作が、第２表示部２１０の操作であると判定すると、Ｓ６ステップへ処理を進め、そうでなければＳ７ステップへ処理を進める。
【００２９】
Ｓ６ステップでは、制御回路１１は、前記Ｓ３ステップでの操作に対応する動作（例えば、電話番号入力や、メール作成等）を実行し、Ｓ８ステップへ処理を進める。
【００３０】
Ｓ７ステップでは、制御回路１１は、第１表示部１１０をタッチパネル式の操作モードにすると共に、第２表示部２２０を表示モードとし、Ｓ８ステップへ処理を進める。
【００３１】
Ｓ８ステップでは、制御回路１１は、操作モードである第１表示部１１０又は第２表示部２１０からの操作があると判定するとＳ９ステップへ処理を進め、そうでなければＳ１０ステップへ処理を進める。
【００３２】
Ｓ９ステップでは、制御回路１１は、前記Ｓ８ステップにおける操作に対応する動作（例えば、電話番号入力やメール作成等）を実行し、Ｓ８ステップへ処理を戻す。
【００３３】
Ｓ１０ステップでは、制御回路１１は、表示モードである第１表示部１１０又は第２表示部２１０からの操作があると（ユーザが第１表示部１１０又は第２表示部２１０を触れたと）判定すると、Ｓ１２ステップへ処理を進め、そうでなければＳ１１ステップへ処理を進める。
【００３４】
Ｓ１１ステップでは、制御回路１１は、開閉スイッチ１７から筐体が閉じられたことを示す信号を検出するとＳ１ステップへ処理を戻し、そうでなければ、Ｓ８ステップへ処理を戻す。
【００３５】
Ｓ１２ステップでは、制御回路１１は、表示モードである表示部にテレビジョン画像を横長に表示させる。具体的には、制御回路は、表示モードである第１表示部１１０又は第２表示部２１０に、テレビジョン通信部１９で受信したテレビジョン画像を表示させる。又、この時、図５に示すように、表示モードとして使用している第１表示部１１０又は第２表示部２１０に、テレビジョン画像を横長に表示させ、タッチパネルとして使用している第２表示部２１０又は第１表示部１１０に、チャンネルを選択する為のキー郡（４００）と、音量を調整する為のキー（４１０）と、テレビジョン画像の表示動作を解除する為の戻るキー（４２０）とが横長の画面上に表示されている。
【００３６】
Ｓ１３ステップでは、制御回路１１は、図５に示すタッチパネル（表示部２１０（１１０））から、戻るキー４２０の操作があると判定すると、Ｓ８ステップへ処理を戻し、そうでなければＳ１４ステップへ処理を進む。
【００３７】
Ｓ１４ステップでは、制御回路１１は、開閉検出部１７から筐体が閉じたことを示す信号を検出するとＳ１ステップへ処理を戻し、そうでなければＳ１５ステップへ処理を進める。
【００３８】
Ｓ１５ステップでは、制御回路１１は、タッチパネル式の操作モードである表示部１１０又は表示部２１０から操作があると判定するとＳ１６ステップへ処理を進め、そうでなかったらＳ１３ステップへ処理を戻す。
【００３９】
Ｓ１６ステップでは、制御回路１１は、前記Ｓ１５ステップでの操作に対応する動作を（例えば、電話番号入力やメール作成等）に対応する動作を実行し、Ｓ１３ステップへ処理を戻す。
【００４０】
尚、本実施例では、Ｓ１２ステップにおいて、操作に対応する動作としてテレビジョン画像を表示する構成としたが、例えば、第２格納部１３に格納されている画情報の表示といった他の動作を実行しても良く、ユーザが表示部に触れた際に実行する動作をユーザが設定可能としても良い。
【００４１】
又、筐体を開いてから例えば、初めに第１表示部１１０に操作があると第１表示部１１０を操作モードにすると共に第２表示部２１０を表示モードとし、この状態を筐体を閉じるまで維持しても良い。尚、第２表示部２１０に操作があった場合についても同様にしても良い。このような構成としても良い理由は、一旦ユーザが筐体を開いてから、筐体を回転させることはあまりなく、従って、一旦下側の筐体を操作モードにしてしまったら、ユーザが通信装置の使用を終了するまではその状態を維持しても何ら差し支えがないからである。
【００４２】
更に、本実施例では、ユーザが手入力により入力する構成で説明したが、ペンなどを用いて入力しても良い。
【００４３】
又、本実施例では、携帯電話装置について実施したが、折畳み式の通信装置であれば、ＰＤＡ（Ｐｅｒｓｏｎａｌ  Ｄｉｇｉｔａｌ  Ａｓｓｉｓｔａｎｔ）といった携帯情報端末やＰＨＳ（Ｐｅｒｓｏｎａｌ  Ｈａｎｄｙｐｈｏｎｅ  Ｓｙｓｔｅｍ）等においても実施可能である。
【００４４】
以上説明したように、本実施例装置は、図３のＳ１〜Ｓ６ステップの動作で説明したように、筐体を開いて初めに操作した表示部をタッチパネル式の操作モードとして使用し、もう一方の表示部を電話番号や画像データを表示する為の表示モードとして使用することが可能である。この為、携帯電話の第１筐体１００から開けた場合でも第２筺体２００から開けた場合でも、操作部分を下方に、表示部分を上方に位置することが可能である。
【００４５】
この為、ユーザが一々筐体を回して、操作部分を下方に位置させ開く必要がない。
【００４６】
又、表示部を触れるだけで、自動的に所定の機能（例えば、テレビジョン画像を表示する機能）を開始する為、簡単な操作で所定の機能を即座に実行することが可能である。更に、テレビジョン画像を表示する際にはテレビジョン画像を表示する画面とタッチパネル画面を横長に表示させる為、ユーザにとって見やすく操作しやする形態とすることが可能である。
【図面の簡単な説明】
【００４７】
【図１】本発明を適用してなる実施例装置の斜視図である。
【図２】本実施例装置のブロック図である。
【図３】本実施例装置のフロー図である。
【図４】本実施例装置の斜視図である。
【図５】本実施例装置のテレビジョン画像の表示形態である。
【符号の説明】
【００４８】
１１  制御回路
１７  開閉スイッチ
１００  第１筐体
１１０  第１表示部
２００  第２筐体
２１０  第２表示部
３００  ヒンジ部
【図１】
2008109688.tif 000003
【図２】
2008109688.tif 000004
【図３】
2008109688.tif 000005
【図４】
2008109688.tif 000006
【図５】
2008109688.tif 000007